(57)【要約】【課題】  不使用時に袋本体の開口部をコンパクトに折り畳むことができる収納袋を提供する。【解決手段】  開口部６に通し部８を有する袋本体４と、通し部８に挿通された枠体１０と、を備えた収納袋２である。枠体１０は、相互に対向して配設された第１及び第２枠部材２０，２２と、第１及び第２枠部材２０，２２の各一端部間に配設された第３枠部材２４と、第１及び第２枠部材２０，２２の各他端部間に配設された第４枠部材２６と、を備える。第１及び第２枠部材２０，２２はそれぞれ、開口部６に対して実質上垂直方向に相互に回動自在に連結された一対の第１及び第２連結部材２８，３０を有し、また第３及び第４枠部材２４，２６はそれぞれ、開口部６に対して実質上水平方向に相互に回動自在に連結された一対の第３及び第４連結部材３６，４２を有している。【選択図】  図１
2010136812.tif 000002
【特許請求の範囲】
【請求項１】
開口部に通し部を有する袋本体と、前記通し部に挿通された枠体と、を備えた収納袋において、
前記枠体は、相互に対向して配設された第１及び第２枠部材と、前記第１及び第２枠部材の各一端部間に配設された第３枠部材と、前記第１及び第２枠部材の各他端部間に配設された第４枠部材と、を備え、前記第１及び第２枠部材はそれぞれ、前記開口部に対して実質上垂直方向に相互に回動自在に連結された一対の第１及び第２連結部材を有し、また前記第３及び第４枠部材はそれぞれ、前記開口部に対して実質上水平方向に相互に回動自在に連結された一対の第３及び第４連結部材を有し、前記一対の第３連結部材の両端部はそれぞれ、前記一対の第１及び第２連結部材の各一端部に前記開口部に対して実質上水平方向に回動自在に連結され、また前記一対の第４連結部材の両端部はそれぞれ、前記一対の第１及び第２連結部材の各他端部に前記開口部に対して実質上水平方向に回動自在に連結されており、
前記一対の第３及び第４連結部材をそれぞれ前記開口部に対して実質上水平方向に回動させて内側に折り畳むとともに、前記一対の第１及び第２連結部材をそれぞれ前記開口部に対して実質上垂直方向に回動させて外側に折り畳むことにより、前記袋本体の前記開口部が折り畳まれることを特徴とする収納袋。
【請求項２】
前記第１及び第２枠部材にはそれぞれ、前記一対の第１及び第２連結部材の内側への折り畳みを規制するための第１及び第２ストッパ機構が設けられ、また前記第３及び第４枠部材にはそれぞれ、前記一対の第３及び第４連結部材の外側への折り畳みを規制するための第３及び第４ストッパ機構が設けられていることを特徴とする請求項１に記載の収納袋。
【請求項３】
前記袋本体の前記開口部には、内側に折り畳まれた前記一対の第３及び第４連結部材をそれぞれ固定するための一対の固定手段が設けられていることを特徴とする請求項１又は２に記載の収納袋。
【発明の詳細な説明】
【技術分野】
【０００１】
本発明は、例えばスーパーマーケットやコンビニエンスストアなどで購入した商品等を収納するための収納袋に関する。
【背景技術】
【０００２】
近年、資源保護の観点から、例えばスーパーマーケットやコンビニエンスストアなどにおいては、従来から無料配布していたレジ袋を有料化にする傾向にある。このため、購入した商品等を収納するための収納袋（所謂、エコバッグ）を店舗に持参する顧客が増加している。
【０００３】
図７は従来の収納袋であり、図示の収納袋１００は、袋本体１０２と、袋本体１０２の開口部１０４に取り付けられた枠体１０６と、を備えている（例えば、特許文献１参照）。枠体１０６は、略コの字状の第１及び第２枠部材１０８，１１０を有している。第１及び第２枠部材１０８，１１０の各両端部は、支軸１１２を介して相互に回動自在に連結されており、これにより第１及び第２枠部材１０８，１１０はそれぞれ、袋本体１０２の開口部１０４に対して実質上垂直方向に相互に回動される。また、第１及び第２枠部材１０８，１１０にはそれぞれ手提げ部１１４が取り付けられている。
【０００４】
第１及び第２枠部材１０８，１１０をそれぞれ図７中の矢印Ｗで示す方向に回動させて袋本体１０２の開口部１０４を開放させることにより、購入した商品等を袋本体１０２内に容易に出し入れすることができる。また、第１及び第２枠部材１０８，１１０をそれぞれ図７中の矢印Ｖで示す方向に回動させて袋本体１０２の開口部１０４を折り畳むことにより、手提げ部１１４を把持して商品等が収納された収納袋１００を持ち歩くことができる。
【０００５】
【特許文献１】実開平５−７０３２３号公報
【発明の開示】
【発明が解決しようとする課題】
【０００６】
しかしながら、上述のような従来の収納袋１００では、袋本体１０２の開口部１０４を折り畳むと枠体１０６全体が二つ折りの状態となり、枠体１０６の幅方向の大きさを小さくすることができない。このため、袋本体１０２の開口部１０４をコンパクトに折り畳むことができず、収納袋１００の不使用時に収納袋１００を例えばショルダーバッグなどに収納して持ち歩くことが困難であるという問題がある。
【０００７】
本発明の目的は、不使用時に袋本体の開口部をコンパクトに折り畳むことができる収納袋を提供することである。
【課題を解決するための手段】
【０００８】
本発明の請求項１に記載の収納袋では、開口部に通し部を有する袋本体と、前記通し部に挿通された枠体と、を備えた収納袋において、
前記枠体は、相互に対向して配設された第１及び第２枠部材と、前記第１及び第２枠部材の各一端部間に配設された第３枠部材と、前記第１及び第２枠部材の各他端部間に配設された第４枠部材と、を備え、前記第１及び第２枠部材はそれぞれ、前記開口部に対して実質上垂直方向に相互に回動自在に連結された一対の第１及び第２連結部材を有し、また前記第３及び第４枠部材はそれぞれ、前記開口部に対して実質上水平方向に相互に回動自在に連結された一対の第３及び第４連結部材を有し、前記一対の第３連結部材の両端部はそれぞれ、前記一対の第１及び第２連結部材の各一端部に前記開口部に対して実質上水平方向に回動自在に連結され、また前記一対の第４連結部材の両端部はそれぞれ、前記一対の第１及び第２連結部材の各他端部に前記開口部に対して実質上水平方向に回動自在に連結されており、
前記一対の第３及び第４連結部材をそれぞれ前記開口部に対して実質上水平方向に回動させて内側に折り畳むとともに、前記一対の第１及び第２連結部材をそれぞれ前記開口部に対して実質上垂直方向に回動させて外側に折り畳むことにより、前記袋本体の前記開口部が折り畳まれることを特徴とする。
【０００９】
また、本発明の請求項２に記載の収納袋では、前記第１及び第２枠部材にはそれぞれ、前記一対の第１及び第２連結部材の内側への折り畳みを規制するための第１及び第２ストッパ機構が設けられ、また前記第３及び第４枠部材にはそれぞれ、前記一対の第３及び第４連結部材の外側への折り畳みを規制するための第３及び第４ストッパ機構が設けられていることを特徴とする。
【００１０】
また、本発明の請求項３に記載の収納袋では、前記袋本体の前記開口部には、内側に折り畳まれた前記一対の第３及び第４連結部材をそれぞれ固定するための一対の固定手段が設けられていることを特徴とする。
【発明の効果】
【００１１】
本発明の請求項１に記載の収納袋によれば、一対の第３及び第４連結部材をそれぞれ開口部に対して実質上水平方向に回動させて内側に折り畳むとともに、一対の第１及び第２連結部材をそれぞれ開口部に対して実質上垂直方向に回動させて外側に折り畳むことにより、袋本体の開口部をコンパクトに折り畳むことができ、収納袋の携帯性を高めることができる。
【００１２】
また、本発明の請求項２に記載の収納袋によれば、第１及び第２ストッパ機構によって一対の第１及び第２連結部材の内側への折り畳みが規制されるとともに、第３及び第４ストッパ機構によって一対の第３及び第４連結部材の外側への折り畳みが規制されるので、袋本体の開口部を開放状態に安定して保持させることができる。
【００１３】
また、本発明の請求項３に記載の収納袋によれば、一対の固定手段によって内側に折り畳まれた一対の第３及び第４連結部材をそれぞれ固定することにより、袋本体の開口部が折り畳まれた状態に保持することができる。
【発明を実施するための最良の形態】
【００１４】
以下、添付図面を参照して、本発明に従う収納袋の一実施形態について説明する。図１は、本発明の一実施形態による収納袋を示す斜視図であり、図２は、図１の状態における枠体を示す斜視図であり、図３は、図１の状態より一対の第３及び第４連結部材をそれぞれ内側に折り畳んだ状態における収納袋を示す斜視図であり、図４は、図３の状態における枠体を示す斜視図であり、図５は、図３の状態より一対の第１及び第２連結部材をそれぞれ外側に折り畳んだ状態における収納袋を示す斜視図であり、図６は、図５の状態における枠体を示す斜視図である。
【００１５】
図１を参照して、図示の収納袋２は袋本体４を備えている。袋本体４の開口部６には、その全周に渡って袋状の通し部８が設けられており、この通し部８には枠体１０が挿通されている。また、袋本体４の開口部６の対向する部位（具体的には、後述する第１及び第２枠部材２０，２２に対応する部位）にはそれぞれ手提げ部１２ａ，１２ｂが設けられ、更にこの手提げ部１２ａ（１２ｂ）の両側にはそれぞれ短冊状の固定手段１４ａ（１４ｂ）が設けられている。固定手段１４ａの内面には雄ホック１６が設けられ、固定手段１４ｂの外面には雄ホック１６と相互に係合される雌ホック１８が設けられている。
【００１６】
図２を参照して、枠体１０は略矩形状に構成され、相互に対向して配設された第１及び第２枠部材２０，２２と、第１及び第２枠部材２０，２２の各一端部間に配設された第３枠部材２４と、第１及び第２枠部材２０，２２の各他端部間に配設された第４枠部材２６と、を備えている。
【００１７】
第１及び第２枠部材２０，２２はそれぞれ細長いパイプ状の一対の第１及び第２連結部材２８，３０を有し、これら一対の第１及び第２連結部材２８，３０はそれぞれ、第１及び第２支軸３２，３４を介して相互に回動自在に連結されている。第１及び第２支軸３２，３４はそれぞれ袋本体４の開口部６に対して実質上水平方向に延びており、これにより一対の第１及び第２連結部材２８，３０は、袋本体４の開口部６に対して実質上垂直方向（図４中の矢印Ｐ，Ｑで示す方向）に相互に回動される。なお、第１及び第２支軸３２，３４にはそれぞれ、一対の第１及び第２連結部材２８，３０の袋本体４の内側への折り畳みを規制するための第１及び第２ストッパ機構（図示せず）が設けられている。
【００１８】
第３枠部材２４は細長いパイプ状の一対の第３連結部材３６を有し、これら一対の第３連結部材３６は、第３支軸３８を介して相互に回動自在に連結されている。一対の第３連結部材３６の両端部はそれぞれ、第５支軸４０を介して一対の第１及び第２連結部材２８，３０の各一端部に回動自在に連結されている。第３及び第５支軸３８，４０はそれぞれ袋本体４の開口部６に対して実質上垂直方向に延びており、これにより一対の第３連結部材３６は、袋本体４の開口部６に対して実質上水平方向（図２中の矢印Ｒ，Ｓで示す方向）に相互に回動される。なお、第３支軸３８には、一対の第３連結部材３６の開口部６の外側への折り畳みを規制するための第３ストッパ機構（図示せず）が設けられている。
【００１９】
また、第４枠部材２６は細長いパイプ状の一対の第４連結部材４２を有し、これら一対の第４連結部材４２は、第４支軸４４を介して相互に回動自在に連結されている。一対の第４連結部材４２の両端部はそれぞれ、第６支軸４６を介して一対の第１及び第２連結部材２８，３０の各他端部に回動自在に連結されている。第４及び第６支軸４４，４６はそれぞれ袋本体４の開口部６に対して実質上垂直方向に延びており、これにより一対の第４連結部材４２は、袋本体４の開口部６に対して実質上水平方向（図２中の矢印Ｔ，Ｕで示す方向）に相互に回動される。なお、第４支軸４４には、一対の第４連結部材４２の開口部６の外側への折り畳みを規制するための第４ストッパ機構（図示せず）が設けられている。
【００２０】
次に、図１〜図６を参照して、上述した収納袋２の使用方法について説明する。袋本体４内に被収納物（図示せず）を出し入れするときには、一対の第１及び第２連結部材２８，３０をそれぞれ図４中の矢印Ｑで示す方向に回動させるとともに、一対の第３及び第４連結部材をそれぞれ図２中の矢印Ｓ，Ｕで示す方向に回動させることにより、枠体１０全体を略矩形状に保持させる（図１及び図２参照）。これにより、袋本体４の開口部６が大きく開放された状態に保持されるので、被収納物を袋本体４内に容易に出し入れすることができる。なお、第１及び第２ストッパ機構によって一対の第１及び第２連結部材２８，３０の袋本体４の内側への折り畳みが規制されるとともに、第３及び第４ストッパ機構によって一対の第３及び第４連結部材３６，４２の開口部６の外側への折り畳みが規制されるので、袋本体４の開口部６は開放状態に安定して保持される。
【００２１】
被収納物が収納された収納袋２を持ち歩くときには、一対の第３及び第４連結部材３６，４２をそれぞれ図２中の矢印Ｒ，Ｔで示す方向に回動させて開口部６の内側に折り畳むことにより、枠体１０全体が横長状に折り畳まれる（図３及び図４参照）。これにより、袋本体４の開口部６が閉じられ、手提げ部１２ａ，１２ｂを把持して収納袋２を持ち歩くことができる。なお、固定手段１４ａの雄ホック１６と固定手段１４ｂの雌ホック１８とを相互に係合させることにより、開口部６の内側に折り畳まれた一対の第３及び第４連結部材３６，４２をそれぞれ固定することができ、袋本体４の開口部６を閉じた状態に保持することができる。
【００２２】
また、収納袋２の不使用時には、一対の第３及び第４連結部材３６，４２をそれぞれ図２中の矢印Ｒ，Ｔで示す方向に回動させて開口部６の内側に折り畳むとともに、一対の第１及び第２連結部材２８，３０をそれぞれ図４中の矢印Ｐで示す方向に回動させて袋本体４の外側に折り畳むことにより、枠体１０全体が図４の状態より更に二つ折りに折り畳まれる（図５及び図６参照）。これにより、袋本体４の開口部６がコンパクトに折り畳まれ、収納袋２全体をコンパクトに折り畳むことができるので、折り畳んだ収納袋２を例えばショルダーバッグなどに容易に収納して持ち歩くことができる。なお、上述と同様に、固定手段１４ａ，１４ｂにより開口部６の内側に折り畳まれた一対の第３及び第４連結部材３６，４２をそれぞれ固定することにより、袋本体４の開口部６を折り畳んだ状態に保持することができる。
【００２３】
なお、本実施形態の収納袋２は、例えばスーパーマーケットやコンビニエンスストアなどで購入した商品等を収納するための所謂エコバッグや、筆記用具などを収納するための通学用バッグなど、種々の用途に用いることができる。
【００２４】
以上、本発明に従う収納袋の一実施形態について説明したが、本発明はかかる実施形態に限定されるものではなく、本発明の範囲を逸脱することなく種々の変形乃至修正が可能である。
【００２５】
例えば、上記実施形態では、固定手段１４ａ，１４ｂにそれぞれ雄ホック１６及び雌ホック１８を設けるように構成したが、面ファスナを設けるように構成してもよい。
【図面の簡単な説明】
【００２６】
【図１】本発明の一実施形態による収納袋を示す斜視図である。
【図２】図１の状態における枠体を示す斜視図である。
【図３】図１の状態より一対の第３及び第４連結部材をそれぞれ内側に折り畳んだ状態における収納袋を示す斜視図である。
【図４】図３の状態における枠体を示す斜視図である。
【図５】図３の状態より一対の第１及び第２連結部材をそれぞれ外側に折り畳んだ状態における収納袋を示す斜視図である。
【図６】図５の状態における枠体を示す斜視図である。
【図７】従来の収納袋を示す斜視図である。
【符号の説明】
【００２７】
２  収納袋
４  袋本体
６  開口部
８  通し部
１０  枠体
１４ａ，１４ｂ  固定手段
２０  第１枠部材
２２  第２枠部材
２４  第３枠部材
２６  第４枠部材
２８  第１連結部材
３０  第２連結部材
３６  第３連結部材
４２  第４連結部材
【図１】
2010136812.tif 000003
【図２】
2010136812.tif 000004
【図３】
2010136812.tif 000005
【図４】
2010136812.tif 000006
【図５】
2010136812.tif 000007
【図６】
2010136812.tif 000008
【図７】
2010136812.tif 000009